(57)【要約】【課題】薄型化可能な電子機器を提供する。【解決手段】一つの実施の形態に係る電子機器は、第１の部品と、壁部材と、収容部と、を備える。前記壁部材は、前記第１の部品を囲む複数の第１の壁を有し、少なくとも一つの前記第１の壁と前記第１の部品との間に隙間を形成する。前記収容部は、前記第１の部品との間に前記隙間を形成する前記第１の壁と、前記第１の部品と、の間にあり、第２の部品を収容可能である。【選択図】図２
2015207061.tif 000002
【特許請求の範囲】
【請求項１】
第１の部品と、
前記第１の部品を囲む複数の第１の壁を有し、少なくとも一つの前記第１の壁と前記第１の部品との間に隙間を形成する壁部材と、
前記第１の部品との間に前記隙間を形成する前記第１の壁と、前記第１の部品と、の間にあり、第２の部品を収容可能な収容部と、
を具備する電子機器。
【請求項２】
前記第１の部品と前記第１の壁との間に形成された前記隙間に配置された第３の部品をさらに具備する、請求項１の電子機器。
【請求項３】
前記収容部は、前記第１の部品に面する第２の壁を有し、
少なくとも一つの前記第１の壁と、前記第２の壁と、が前記第１の部品が動くことを制限する、
請求項２の電子機器。
【請求項４】
前記壁部材と前記収容部とが一体に形成された、請求項３の電子機器。
【請求項５】
前記第１の部品を覆う第１の部材をさらに具備し、
前記複数の第１の壁が前記第１の部材を支持する、請求項４の電子機器。
【請求項６】
前記収容部は、前記第１の部材を前記複数の第１の壁とともに支持する、請求項５の電子機器。
【請求項７】
前記第１の部材は、画像を表示又は透過可能な第１の部分と、前記第１の部分を囲む第２の部分とを有し、
前記複数の第１の壁及び前記収容部は、前記第１の部材の前記第２の部分を支持する、
請求項６の電子機器。
【請求項８】
前記第１の部品は画像を表示し、
前記第１の部材の前記第１の部分は、前記第１の部品が表示する画像を透過する、
請求項７の電子機器。
【請求項９】
前記複数の第１の壁は、第１の材料で作られる第１の成形部分と、前記第１の成形部分と一体に形成され、前記第１の部材に接するとともに前記第１の材料よりも高弾性な第２の材料で作られた第２の成形部分と、を有する、請求項８の電子機器。
【請求項１０】
前記第１の部品が前記第１の部材に固定され、
前記第１の部材が前記第１の壁に固定された、
請求項９の電子機器。
【請求項１１】
前記第１の部材と前記収容部との間に配置されたアンテナをさらに具備する、請求項１０の電子機器。
【請求項１２】
前記第１の部材の前記第１の部分は位置入力を検知し、前記第２の部分は位置入力を検知しない、請求項１０の電子機器。
【請求項１３】
前記壁部材と、外部に開いた第１の開口と、を有する筐体をさらに具備し、
前記収容部は、前記第１の開口に接続され、前記第１の開口から前記第２の部品を入れられることが可能な、請求項１乃至請求項１２のいずれか一つの電子機器。
【請求項１４】
前記第１の部品を覆う第２の部材を有し、
前記収容部は、前記第１の開口に接続されるとともに前記第２の部材に覆われた第１の凹部を有し、前記第２の部材に覆われた前記第１の凹部に前記第２の部品を収容可能な、
請求項１３の電子機器。
【請求項１５】
第４の部品をさらに具備し、
前記第２の部材は、前記複数の第１の壁に接する複数の第３の壁を有し、
前記複数の第１の壁は、前記第３の壁に覆われるとともに前記第４の部品を収容する第２の凹部、を有した、
請求項１４の電子機器。
【請求項１６】
前記第２の部材と前記第１の部品との間に配置されるとともに前記複数の第１の壁に囲まれ、前記第１の部品に向く平坦な面を有する、第５の部品をさらに具備した請求項１５の電子機器。
【請求項１７】
前記第１の部品は、ケーブルを有し、
前記複数の第１の壁は、前記ケーブルが通される挿通部を有した、
請求項１６の電子機器。
【請求項１８】
前記挿通部は、端部が前記第２の部材に覆われることで第２の開口を形成する第３の凹部を有し、
前記ケーブルは、前記第２の開口に通される、
請求項１７の電子機器。
【請求項１９】
前記第２の部品がペンを有する、請求項１乃至請求項１８のいずれか一つの電子機器。
【請求項２０】
画像を表示する表示部品と、
前記表示部品を囲む枠部材と、
前記枠部材に設けられ、ペンを収容可能な収容部と、
を具備する電子機器。
【発明の詳細な説明】
【技術分野】
【０００１】
本発明の実施形態は、電子機器に関する。
【背景技術】
【０００２】
電子機器は、種々の部品を有する。
【先行技術文献】
【特許文献】
【０００３】
【特許文献１】特開平８−３１４５７３号公報
【発明の概要】
【発明が解決しようとする課題】
【０００４】
電子機器は、一般的に、薄型化されることが望まれる。
【０００５】
本発明が解決する課題の一例は、薄型化可能な電子機器を提供することである。
【課題を解決するための手段】
【０００６】
一つの実施の形態に係る電子機器は、第１の部品と、壁部材と、収容部と、を備える。前記壁部材は、前記第１の部品を囲む複数の第１の壁を有し、少なくとも一つの前記第１の壁と前記第１の部品との間に隙間を形成する。前記収容部は、前記第１の部品との間に前記隙間を形成する前記第１の壁と、前記第１の部品と、の間にあり、第２の部品を収容可能である。
【図面の簡単な説明】
【０００７】
【図１】図１は、第１の実施の形態に係るポータブルコンピュータを示す斜視図である。
【図２】図２は、第１の実施形態のディスプレイ部を示す平面図である。
【図３】図３は、第１の実施形態のディスプレイ部の一部を示す斜視図である。
【図４】図４は、第１の実施形態のディスプレイ部を図２のＦ４−Ｆ４線に沿って示す断面図である。
【図５】図５は、第１の実施形態のディスプレイ部の一部を切り欠いて示す平面図である。
【図６】図６は、第１の実施形態のディスプレイ部を図２のＦ６−Ｆ６線に沿って示す断面図である。
【図７】図７は、第２の実施の形態に係るディスプレイ部を示す断面図である。
【発明を実施するための形態】
【０００８】
以下に、第１の実施の形態について、図１乃至図６を参照して説明する。なお、本明細書においては基本的に、ユーザ側を前方、ユーザから遠い側を後方、ユーザから見て左側を左方、ユーザから見て右側を右方、ユーザから見て上方を上方向、ユーザから見て下方を下方向と定義する。また、実施形態に係る構成要素や、当該要素の説明について、複数の表現を併記することがある。当該構成要素及び説明について、記載されていない他の表現がされることは妨げられない。さらに、複数の表現が記載されない構成要素及び説明について、他の表現がされることは妨げられない。
【０００９】
図１は、第１の実施の形態に係るポータブルコンピュータ１０を示す斜視図である。ポータブルコンピュータ１０は、電子機器の一例である。なお、電子機器はこれに限らず、例えば、テレビジョン受像装置、ディスプレイ、携帯電話、スマートフォン、タブレット、携帯情報端末（ＰＤＡ）、携帯音楽プレーヤー、デジタルカメラ、ビデオカメラ、ゲーム機、又は他の電子機器であっても良い。
【００１０】
図１に示すように、ポータブルコンピュータ１０は、ディスプレイ部１１と、ベース部１２と、二つのヒンジ部１３とを有する。ディスプレイ部１１は、例えば、表示部、モジュール、ユニット、又は部分とも称され得る。ベース部１２は、例えば、本体、モジュール、ユニット、又は部分とも称され得る。ヒンジ部１３は、例えば、接続部、連結部、結合部、回動部、中間部、又は介在部とも称され得る。
【００１１】
ディスプレイ部１１の端部は、ヒンジ部１３によって、ベース部１２の端部に回動可能に接続される。ベース部１２は、ヒンジ部１３によってディスプレイ部１１に接続されたベースユニット１６と、ベースユニット１６に取り外し可能に取り付けられたキーボードモジュール１７とを有する。ベースユニット１６は、例えば、結合部、ドッキング部、回動部、支持部、部分、又は部品とも称され得る。キーボードモジュール１７は、例えば、結合部、ドッキング部、脱着部、部分、又は部品とも称され得る。
【００１２】
ディスプレイ部１１は、ヒンジ部１３によってベース部１２に対し回動することで、閉じ位置、クラムシェル位置、テント位置、及びタブレット位置に移動可能である。前記閉じ位置において、ディスプレイ部１１は、ベース部１２の上面１２ａを覆う。前記クラムシェル位置において、ディスプレイ部１１は、ベース部１２の端部から、ベース部１２の上面１２ａが向く側へ立ち上がる。前記テント位置において、ディスプレイ部１１は、ベース部１２の端部から、ベース部１２の上面１２ａの反対側へ立ち上がる。前記タブレット位置において、ディスプレイ部１１は、ベース部１２の上面１２ａの反対側の面を覆う。図１は、前記クラムシェル位置にあるディスプレイ部１１を示す。
【００１３】
ディスプレイ部１１は、第１の筐体２１と、ディスプレイユニット２２とを有する。第１の筐体２１は、筐体の一例であり、例えば、外装部、収容部、格納部、部材、又は壁とも称され得る。ディスプレイユニット２２は、例えば、表示装置、表示部、アセンブリ、部品、又は部材とも称され得る。
【００１４】
第１の筐体２１は、扁平な略直方体の箱型に形成される。なお、第１の筐体２１は、他の形状であっても良い。第１の筐体２１の下端部２１ａに、二つのヒンジ部１３が回動可能に取り付けられる。第１の筐体２１の下端部２１ａは、ディスプレイ部１１が前記クラムシェル位置にあるとき、下方向に向く。
【００１５】
ベースユニット１６は、第２の筐体２５を有する。第２の筐体２５は、扁平な略直方体の箱型に形成され、基板及び冷却装置のような種々の部品を収容する。当該基板は、例えば中央演算処理装置（ＣＰＵ）が実装されたマザーボード、及び当該マザーボードに接続されるドーターボードのようなプリント回路板（ＰＣＢ）である。さらに、当該基板は、フレキシブルプリント回路板（ＦＰＣ）を含んでも良い。
【００１６】
第２の筐体２５の上面２５ａは、ベース部１２の上面１２ａの一部を形成する。第２の筐体２５の上面２５ａに、複数の通気口２６が設けられる。第２の筐体２５に収容された前記冷却装置は、例えばファンを有し、通気口２６を通じて吸気又は排気を行う。
【００１７】
キーボードモジュール１７は、第３の筐体３１と、キーボード３２と、ポインティングスティック３３と、クリックボタン３４と、イジェクトレバー３５とを有する。キーボードモジュール１７は、ベース部１２と無線通信を行う装置と、バッテリとをさらに有し、ベースユニット１６から分離されて使用可能である。
【００１８】
第３の筐体３１は、扁平な略直方体の箱型に形成される。第３の筐体３１の上面３１ａは、ベース部１２の上面１２ａの一部を形成する。キーボード３２、ポインティングスティック３３、クリックボタン３４、及びイジェクトレバー３５は、第３の筐体３１の上面３１ａに配置される。
【００１９】
キーボード３２、ポインティングスティック３３、及びクリックボタン３４は、ポータブルコンピュータ１０に情報を入力するためにユーザに操作される。イジェクトレバー３５が操作されると、ベースユニット１６とキーボードモジュール１７との結合が解除される。
【００２０】
図２は、ディスプレイ部１１を部分的に切り欠いて示す平面図である。図３は、第１の筐体２１とディスプレイユニット２２とが分離したディスプレイ部１１を部分的に示す斜視図である。図４は、ディスプレイ部１１を図２のＦ４−Ｆ４線に沿って示す断面図である。
【００２１】
図面に示されるように、本明細書において、Ｘ軸、Ｙ軸及びＺ軸が定義される。Ｘ軸とＹ軸とＺ軸とは、互いに直交する。Ｘ軸は、ディスプレイ部１１の幅に沿う。Ｙ軸は、ディスプレイ部１１の長さに沿う。Ｚ軸は、ディスプレイ部１１の厚さに沿う。
【００２２】
図２に示すように、第１の筐体２１は、バックカバー４１と、フレーム４２とを有する。バックカバー４１は、第２の部材の一例であり、例えば、被覆部、蓋、壁、部品、部材、又は部分とも称され得る。フレーム４２は、壁部材及び枠部材の一例であり、例えば、保持部、囲み部、制動部、壁、部品、部材、又は部分とも称され得る。
【００２３】
バックカバー４１は、例えばアルミニウム合金によって作られる。なお、バックカバー４１は他の材料によって作られても良い。バックカバー４１は、背壁４５と、複数の周壁４６とを有する。複数の周壁４６は、複数の第３の壁の一例である。
【００２４】
背壁４５は、略矩形（四角形）に形成される。背壁４５は、略平坦な底面４５ａを有する。底面４５ａに、他の部品が取り付けられるボス、ケーブルが通る溝、及び種々の部分が設けられても良い。
【００２５】
複数の周壁４６は、背壁４５の端部において、背壁４５の底面４５ａからそれぞれ立ち上がる。複数の周壁４６は、略矩形（四角形）の枠状に配置される。なお、複数の周壁４６の配置はこれに限らない。
【００２６】
複数の周壁４６は、第１の筐体２１の下端部２１ａ、左側部２１ｂ、右側部２１ｃ、及び上端部２１ｄをそれぞれ形成する。左側部２１ｂは、ディスプレイ部１１が前記クラムシェル位置にあるとき、左方に向く。右側部２１ｃは、ディスプレイ部１１が前記クラムシェル位置にあるとき、右方に向く。上端部２１ｄは、ディスプレイ部１１が前記クラムシェル位置にあるとき、上方向に向く。
【００２７】
第１の筐体２１の左側部２１ｂ、右側部２１ｃ、及び上端部２１ｄを形成する周壁４６は、平坦な内面４６ａをそれぞれ有する。内面４６ａは、それぞれ、第１の筐体２１の内側に向く。周壁４６の内面４６ａと、背壁４５の底面４５ａとは、略直交（交差）する。第１の筐体２１の下端部２１ａを形成する周壁４６の、第１の筐体２１の内側に向く面は、窪んでいる。
【００２８】
第１の筐体２１の左側部２１ｂを形成する周壁４６に、挿入口５１と、ボリューム調節ボタン（以下、ボタンと称する）５２とが設けられる。挿入口５１は、第１の開口の一例であり、例えば、挿入部、挿通部、開放部、又は孔とも称され得る。ボタン５２は、第４の部品の一例であり、例えば、部材とも称され得る。
【００２９】
挿入口５１は、第１の筐体の上端部２１ｄの近傍に設けられる。挿入口５１は、第１の筐体２１の外部に開いた略円形の孔である。挿入口５１は、第１の筐体２１の左側部２１ｂを形成する周壁４６から背面４５に亘って設けられる切欠きに接続される。
【００３０】
ボタン５２は、例えばポータブルコンピュータ１０の音声出力の音量を増減させるためのボタンである。ボタン５２は、周壁４６の長手方向に沿って延びる。例えば、ボタン５２の一方の端部が押されると、ポータブルコンピュータ１０の音量が増大し、ボタン５２の他方の端部が押されると、ポータブルコンピュータ１０の音量が減少する。
【００３１】
フレーム４２は、矩形（四角形）の枠状に形成される。なお、フレーム４２は、他の形状であっても良い。フレーム４２は、例えば、背壁４５の底面４５ａに接着剤によって固定される。なお、フレーム４２は、爪及びネジのような他の方法によってバックカバー４１に取り付けられても良い。さらに、フレーム４２は、周壁４６のような他の場所に固定されても良い。
【００３２】
フレーム４２は、四つの壁部５５と、第１の収容部５６と、第２の収容部５７と、を有する。壁部５５は、第１の壁の一例であり、例えば、延部、支持部、保持部、囲み部、接部、制動部、部材、又は部分とも称され得る。第１の収容部５６は、収容部の一例であり、保持部、挿入部、収納部、部品、又は部分とも称され得る。
【００３３】
下記の説明において、四つの壁部５５は、個別に、壁部５５Ａ，５５Ｂ，５５Ｃ，５５Ｄと称されることがある。壁部５５Ａ，５５Ｂ，５５Ｃ，５５Ｄに共通する説明は、壁部５５についての説明として記載される。
【００３４】
壁部５５Ａ，５５Ｄは、Ｘ軸に沿って延びる。壁部５５Ａは、第１の筐体２１の下端部２１ａを形成する周壁４６から離間して配置される。壁部５５Ｄは、第１の筐体２１の上端部２１ｄを形成する周壁４６の内面４６ａに接する。なお、壁部５５Ｄと周壁４６の内面４６ａとの間に隙間があっても良い。
【００３５】
壁部５５Ｂ，５５Ｃは、Ｙ軸に沿って延びる。壁部５５Ｂは、第１の筐体２１の左側部２１ｂを形成する周壁４６の内面４６ａに接する。壁部５５Ｃは、第１の筐体２１の右側部２１ｃを形成する周壁４６の内面４６ａに接する。なお、壁部５５Ｂ及び周壁４６の内面４６ａの間と、壁部５５Ｃ及び周壁４６の内面４６ａの間とに、隙間があっても良い。
【００３６】
図３に示すように、壁部５５は、第１の縁部６１と、第２の縁部６２と、支持部６３と、を有する。第１の縁部６１及び支持部６３は、第１の成形部分の一例である。第２の縁部６２は、第２の成形部分の一例である。
【００３７】
第１の縁部６１は、例えば、ポリカーボネートのような合成樹脂によって作られる。ポリカーボネートは、第１の材料の一例である。なお、第１の縁部６１は他の材料によって作られても良い。第１の縁部６１は、略四角形の棒状に形成され、対応する周壁４６に沿って延びる。なお、第１の縁部６１の形状はこれに限らない。
【００３８】
第１の縁部６１は、第１の内周面６１ａと、第１の支持面６１ｂとを有する。第１の内周面６１ａは、略平坦に形成され、背壁４５の底面４５ａと略直交（交差）する。第１の支持面６１ｂは、略平坦に形成され、背壁４５の底面４５ａと略平行であるとともに、第１の内周面６１ａと略直交（交差）する。
【００３９】
第２の縁部６２は、例えば、熱可塑性ポリウレタン（ＴＰＵ）によって作られる。ＴＰＵは、第２の材料の一例である。第２の縁部６２の材料は、第１の縁部６１の材料より高弾性である。なお、第２の縁部６２は他の材料によって作られても良い。
【００４０】
第２の縁部６２は、第１の縁部６１と一体に形成される。例えば、第１の縁部６１と第２の縁部６２とは、二色成形（ダブルモールド）によって作られる。なお、第１の縁部６１と第２の縁部６２とは他の方法によって作られても良い。
【００４１】
第２の縁部６２は、第１の縁部６１の第１の支持面６１ｂから突出する板状に形成され、対応する周壁４６に沿って延びる。第２の縁部６２は、対応する周壁４６の内面４６ａに、少なくとも部分的に接する。
【００４２】
第２の縁部６２は、第２の内周面６２ａを有する。第２の内周面６２ａは、略平坦に形成され、第１の縁部６１の第１の支持面６１ｂと略直交（交差）する。第２の内周面６２ａは、第１の縁部６１の第１の内周面６１ａよりも、対応する周壁４６に近い。言い換えると、第２の縁部６２の第２の内周面６２ａは、第１の縁部６１の第１の内周面６１ａよりも外側に位置する。
【００４３】
支持部６３は、第１の縁部６１と同じ材料によって作られ、第１の縁部６１と一体に形成される。支持部６３は、第１の縁部６１の第１の内周面６１ａから、背壁４５の底面４５ａに沿って延びる。支持部６３は、第２の支持面６３ａと、第３の内周面６３ｂとを有する。
【００４４】
第２の支持面６３ａは、略平坦に形成され、背壁４５の底面４５ａと略平行であるとともに、第１の内周面６１ａと略直交（交差）する。Ｚ軸に沿う方向において、背壁４５の底面４５ａと支持部６３の第２の支持面６３ａとの間の距離は、背壁４５の底面４５ａと第１の縁部６１の第１の支持面６１ｂとの間の距離よりも短い。第３の内周面６３ｂは、背壁４５の底面４５ａと略直交（交差）する。
【００４５】
壁部５５Ｂ，５５Ｃ，５５Ｄに、溝６７が設けられる。溝６７は、第２の凹部の一例であり、例えば窪み、収容部、又は格納部とも称され得る。溝６７は、背壁４５及び対応する周壁４６に向かって開かれた切欠きであり、対応する周壁４６に沿って延びる。
【００４６】
図４に示すように、フレーム４２がバックカバー４１に取り付けられることで、溝６７が、背壁４５及び周壁４６によって覆われる。背壁４５及び周壁４６によって覆われた溝６７は、対応する周壁４６に沿って延びる第１の収容空間Ｓ１を形成する。
【００４７】
図５は、ディスプレイ部１１の一部を切り欠いて示す平面図である。図５に示すように、壁部５５Ｂの溝６７と、背壁４５と、対応する周壁４６とが形成する第１の収容空間Ｓ１に、ボタン５２の一部と、二つのスイッチ６８とが配置される。言い換えると、溝６７は、ボタン５２とスイッチ６８とを収容する。スイッチ６８は、第４の部品の一例である。
【００４８】
スイッチ６８は、例えば、ケーブルを介して、ベースユニット１６の前記基板に電気的に接続される。スイッチ６８は、ボタン５２の端部にそれぞれ面する。ボタン５２が第１の筐体２１の外部から操作されると、どちらかのスイッチ６８がボタン５２の端部に押される。
【００４９】
壁部５５Ｂに、二つの第１の挿通孔６９が設けられる。第１の挿通孔６９は、スイッチ６８に対応して位置する。スイッチ６８から延びる前記ケーブルは、対応する第１の挿通孔６９を通る。なお、スイッチ６８から延びる前記ケーブルは、第１の収容空間Ｓ１を通っても良い。
【００５０】
図３に示すように、ディスプレイ部１１は、バッテリ７１をさらに有する。バッテリ７１は、第５の部品の一例であり、例えば、支持部、平坦部、又は部材とも称され得る。バッテリ７１は、第１の筐体２１に収容される。バッテリ７１は、ポータブルコンピュータ１０に電力を供給する。
【００５１】
バッテリ７１は、略矩形（四角形）の板状に形成される。バッテリ７１は、背壁４５の底面４５ａに配置され、壁部５５に囲まれる。バッテリ７１は、壁部５５の支持部６３の、第３の内周面６３ｂに接するとともに保持される。言い換えると、バッテリ７１は、支持部６３に囲まれる。なお、バッテリ７１は、例えば両面テープによって、背壁４５の底面４５ａに固定されても良い。また、バッテリ７１と支持部６３の第３の内周面６３ｂとの間に隙間があっても良い。
【００５２】
バッテリ７１は、第３の支持面７１ａを有する。第３の支持面７１ａは、平坦な面の一例である。第３の支持面７１ａは、背壁４５の底面４５ａと略平行である。第３の支持面７１ａは、支持部６３の第２の支持面６３ａと略同一平面を形成する。なお、第３の支持面７１ａは、支持部６３の第２の支持面６３ａより突き出ていても良く、支持部６３の第２の支持面６３ａより窪んでいても良い。
【００５３】
第１の収容部５６は、壁部５５Ｂ，５５Ｄと一体に形成される。第１の収容部５６は、略矩形（四角形）に形成され、壁部５５Ｂの第１の縁部６１から、壁部５５Ｄに沿って延びる。言い換えると、第１の収容部５６は、壁部５５Ｂ，５５Ｄから張り出した部分であるとともに、壁部５５Ｄの幅広にされた一部分である。なお、第１の収容部５６は、壁部５５と別個の部品であっても良い。図４に示すように、第１の収容部５６は、第１の面５６ａと、第２の面５６ｂと、第３の面５６ｃとを有する。第１の面５６ａは、第２の壁の一例である。
【００５４】
第１の収容部５６の第１の面５６ａは、壁部５５Ｄの第１の縁部６１の第１の内周面６１ａと略平行な部分を含む。第１の収容部５６の第２の面５６ｂは、第２の縁部６１の第１の支持面６１ｂと略平行な面であり、略平坦に形成される。第１の収容部５６の第３の面５６ｃは、第２の面５６ｂの反対側に位置し、背壁４５の底面４５ａに面する。
【００５５】
第１の収容部５６に、凹部７４が設けられる。凹部７４は、第１の凹部の一例であり、例えば、溝、窪み、収容部、格納部、又は部分とも称され得る。凹部７４は、第１の収容部５６の第３の面５６ｃに開くとともに、壁部５５Ｄに沿って延びる。
【００５６】
Ｘ軸に沿う方向において、凹部７４の一方の端部は、周壁４６の挿入口５１に接続される。言い換えると、凹部７４は、挿入口５１によって開放される。凹部７４の他方の端部は塞がれる。フレーム４２がバックカバー４１に取り付けられることで、凹部７４は、背壁４５によって覆われる。背壁４５によって覆われた凹部７４は、壁部５５Ｄに沿って延びる第２の収容空間Ｓ２を形成する。
【００５７】
図２に示すように、第１の収容部５６は、係止部７５をさらに有する。係止部７５は、弾性変形可能な部分である。係止部７５は、凹部７４に突出する突起を有する。係止部７５が弾性変形することで、当該突起は、例えば、凹部７４に突出する位置と、引っ込む位置との間で移動する。
【００５８】
ポータブルコンピュータ１０は、タッチペン７６をさらに有する。タッチペン７６は、第２の部品及びペンの一例であり、例えば、スタイラスペン、デジタイザーペン、ポインティングデバイス、又は部材とも称され得る。タッチペン７６は、第２の収容空間Ｓ２に取り出し可能に収容される。言い換えると、凹部７４は、タッチペン７６を収容可能である。
【００５９】
タッチペン７６は、周壁４６の挿入口５１から、凹部７４（第２の収容空間Ｓ２）に入れられる。タッチペン７６は略円柱形状を有し、壁部５５Ｄに沿って延びる凹部７４に収容される。凹部７４に収容されたタッチペン７６の端部は、タッチペン７６の径方向に突出し、挿入口５１に接続された切欠きに引っかかる。
【００６０】
タッチペン７６に、係止溝７６ａが設けられる。係止溝７６ａは、例えば、タッチペン７６の周方向に延びる。タッチペン７６が凹部７４に収容されると、係止溝７６ａに、係止部７５の前記突起が弾性的に引っかかる。係止溝７６ａに引っかかった係止部７５の当該突起は、タッチペン７６が第２の収容空間Ｓ２から不用意に抜けることを抑制する。
【００６１】
第２の収容部５７は、壁部５５Ａ，５５Ｃと一体に形成される。第２の収容部５７は、略矩形（四角形）に形成され、壁部５５Ｃの第１の縁部６１から、壁部５５Ａに沿って延びる。言い換えると、第２の収容部５７は、壁部５５Ａ，５５Ｃから張り出した部分である。第２の収容部５７は、保持面５７ａを有する。第２の収容部５７の保持面５７ａは、壁部５５Ａの第１の縁部６１の第１の内周面６１ａと略平行な面である。
【００６２】
第２の収容部５７は、例えば、磁石７８を収容する。ディスプレイ部１１が前記閉じ位置にあるとき、ベースユニット１６に設けられたセンサが、第２の収容部５７の磁石７８の磁力を検知する。これにより、ポータブルコンピュータ１０は、ディスプレイ部１１が前記閉じ位置にあることを検知する。
【００６３】
壁部５５Ａは、第１の筐体２１の下端部２１ａを形成する周壁４６から離間する。壁部５５Ａと、第１の筐体２１の下端部２１ａを形成する周壁４６と、の間に、第３の収容空間Ｓ３が形成される。
【００６４】
第３の収容空間Ｓ３は、壁部５５Ａと、第１の筐体２１の下端部２１ａを形成する周壁４６と、の間の隙間である。第３の収容空間Ｓ３は、壁部５５Ａ及び対応する周壁４６に沿って延びる。第３の収容空間Ｓ３に、ヒンジ部１３の一部及びアンテナが配置される。
【００６５】
図３に示すように、ディスプレイユニット２２は、ディスプレイモジュール８１と、デジタイザーモジュール８２と、タッチパネル８３と、を有する。ディスプレイモジュール８１及びデジタイザーモジュール８２は、第１の部品及び表示部品の一例であり、例えば、表示部、入力部、又は操作部とも称され得る。タッチパネル８３は、第１の部材の一例であり、例えば、被覆部、入力部、又は操作部とも称され得る。
【００６６】
ディスプレイモジュール８１は、例えば、液晶ディスプレイ（ＬＣＤ）である。なお、ディスプレイモジュール８１はこれに限らず、例えば、プラズマディスプレイ、有機ＥＬディスプレイ、電子ペーパー、又は他の画像を表示する装置であっても良い。ディスプレイモジュール８１は、略矩形（四角形）の板状に形成される。
【００６７】
図４に示すように、ディスプレイモジュール８１は、表示面８１ａと、背面８１ｂと、側面８１ｃを有する。ディスプレイモジュール８１は、表示面８１ａに画像を表示する。なお、本明細書において、画像とは、動画、静止画、単一色画面、及び文字を含む。背面８１ｂは、表示面８１ａの反対側に位置する。側面８１ｃは、表示面８１ａ及び背面８１ｂと略直交（交差）する。
【００６８】
デジタイザーモジュール８２は、ディスプレイモジュール８１と同じく、略矩形（四角形）の板状に形成される。デジタイザーモジュール８２は、ディスプレイモジュール８１の背面８１ｂに固定される。なお、デジタイザーモジュール８２は、例えば、ディスプレイモジュール８１と一体に形成されても良い。デジタイザーモジュール８２は、側面８２ａを有する。デジタイザーモジュール８２の側面８２ａは、ディスプレイモジュール８１の側面８１ｃに連続する。
【００６９】
タッチパネル８３は、例えば、静電容量方式のタッチパネルである。なお、タッチパネル８３は、抵抗膜方式のような他の方式のタッチパネルであっても良い。タッチパネル８３は、略矩形（四角形）の板状に形成される。
【００７０】
タッチパネル８３は、表面８３ａと、背面８３ｂと、側面８３ｃとを有する。表面８３ａは、例えば保護フィルムによって作られ、略平坦に形成される。背面８３ｂは、表面８３ａの反対側に位置し、ディスプレイモジュール８１の表示面８１ａに固定される。なお、タッチパネル８３は、ディスプレイモジュール８１から外されても良い。側面８３ｃは、表面８３ａ及び背面８３ｂと略直交（交差）する。
【００７１】
タッチパネル８３の表面８３ａの面積は、ディスプレイモジュール８１の表示面８１ａの面積よりも広い。すなわち、タッチパネル８３は、ディスプレイモジュール８１よりも大きい。
【００７２】
図３に示すように、タッチパネル８３は、第１の部分８７と、第２の部分８８とを有する。第１の部分８７は、例えば、内側部、透過部、スクリーン、入力部、操作部、又は検知部とも称され得る。第２の部分８８は、例えば、外側部、枠部、囲み部、マスク、被覆部、支持部、又は不感部とも称され得る。
【００７３】
第１の部分８７は、略矩形（四角形）の透明な部分である。なお、第１の部分８７は、色がついていても良い。第１の部分８７の面積は、ディスプレイモジュール８１の表示面８１ａの面積と大よそ等しい。第１の部分８７は、ディスプレイモジュール８１の表示面８１ａを覆い、表示面８１ａに表示される画像を透過する。
【００７４】
第１の部分８７に、微細な複数の電極が設けられる。タッチパネル８３は、第１の部分８７において、タッチパネル８３の表面８３ａに触れた、例えばユーザの指及びタッチペン７６の位置を検知する。言い換えると、第１の部分８７は、位置入力を検知する。
【００７５】
第２の部分８８は、第１の部分８７を囲む枠状の部分である。第２の部分８８は、ディスプレイモジュール８１から外れた位置にある。図４に示すように、第２の部分８８は、ディスプレイモジュール８１の側面８１ｃから張り出す。
【００７６】
第２の部分８８は、例えば、黒色に塗装される。なお、第２の部分８８は、他の色であっても良い。図２に示すように、第２の部分８８に、ロゴ８９が設けられる。ロゴ８９は、例えば、表示部、意匠部、図形、マーク、又は文字とも称され得る。ロゴ８９は、例えば、図形であり、塗装によって形成される。
【００７７】
第２の部分８８に、配線パターンが設けられる。当該配線パターンは、第１の部分８７の対応する前記電極に電気的に接続される。第２の部分８８は、第１の部分８７と異なり、位置入力を検知しない。
【００７８】
デジタイザーモジュール８２は、ディスプレイモジュール８１及びタッチパネル８３越しに、タッチパネル８３の第１の部分８７におけるタッチペン７６の位置を検知する。例えば、デジタイザーモジュール８２は、電磁誘導によってタッチペン７６に設けられたコイルに起電力を生じさせる。当該コイルに起電力を生じたタッチペン７６は、デジタイザーモジュール８２に信号を出力する。デジタイザーモジュール８２は、当該信号を受信することで、タッチペン７６の位置を検知する。
【００７９】
図４に示すように、デジタイザーモジュール８２は、フレーム４２の支持部６３の第２の支持面６３ａと、バッテリ７１の第３の支持面７１ａとによって支持される。言い換えると、バッテリ７１はバックカバー４１とデジタイザーモジュール８２との間に配置され、バッテリ７１の第３の支持面７１ａはデジタイザーモジュール８２に向く。
【００８０】
図２は、ディスプレイモジュール８１及びデジタイザーモジュール８２を二点鎖線で示す。図２に示すように、ディスプレイモジュール８１及びデジタイザーモジュール８２は、四つの壁部５５によって囲まれる。
【００８１】
壁部５５Ｂ，５５Ｃの第１の縁部６１の第１の内周面６１ａと、第２の収容部５７の保持面５７ａとは、ディスプレイモジュール８１の側面８１ｃと、デジタイザーモジュール８２の側面８２ａに接する。さらに、第１の収容部５６の第１の面５６ａは、ディスプレイモジュール８１の側面８１ｃ及びデジタイザーモジュール８２の側面８２ａの少なくとも一方に接する。言い換えると、第１の収容部５６の第１の面５６ａは、ディスプレイモジュール８１及びデジタイザーモジュール８２に面する。なお、第１の縁部６１の第１の内周面６１ａ及び第２の収容部５７の保持面５７ａと、ディスプレイモジュール８１の側面８１ｃ及びデジタイザーモジュール８２の側面８２ａとの間に、隙間があっても良い。また、第１の収容部５６の第１の面５６ａと、ディスプレイモジュール８１の側面８１ｃ及びデジタイザーモジュール８２の側面８２ａとの間に隙間があっても良い。
【００８２】
壁部５５Ｂ，５５Ｃと、第１の収容部５６と、第２の収容部５７とは、ディスプレイモジュール８１及びデジタイザーモジュール８２を保持する。すなわち、ディスプレイモジュール８１及びデジタイザーモジュール８２は、壁部５５Ｂ，５５Ｃと、第１の収容部５６と、第２の収容部５７と、によって、Ｘ軸及びＹ軸に沿う方向における動きを制限される。
【００８３】
壁部５５Ｂ，５５Ｃ、第１の収容部５６、及び第２の収容部５７に保持されたディスプレイモジュール８１及びデジタイザーモジュール８２は、壁部５５Ｄから離間する。ディスプレイモジュール８１及びデジタイザーモジュール８２と、壁部５５Ｄとの間に、第４の収容空間Ｓ４が形成される。第４の収容空間Ｓ４は、第１の部品と第１の壁との間に形成された隙間の一例であり、例えば、収容部、格納部、又はスペースとも称され得る。
【００８４】
第４の収容空間Ｓ４は、第１の収容部５６の端部から、壁部５５Ｃに亘って、壁部５５Ｄに沿って延びる隙間である。第４の収容空間Ｓ４に、第１のカメラモジュール９１と、第１の制御基板９２と、第２のカメラモジュール９３とが配置される。第１のカメラモジュール９１、第１の制御基板９２、及び第２のカメラモジュール９３は、第３の部品の一例である。
【００８５】
第１のカメラモジュール９１は、第１の収容部５６に隣接して配置される。第１のカメラモジュール９１は、ディスプレイ部１１の前方の画像を撮影する。第１の制御基板９２は、タッチパネル８３に電気的に接続される。第１の制御基板９２は、例えばＰＣＢであり、タッチパネル８３を制御する。
【００８６】
第２のカメラモジュール９３は、壁部５５Ｃに隣接して配置される。第２のカメラモジュール９３は、ディスプレイ部１１の後方の画像を撮影する。第２のカメラモジュール９３は、センサ部９３ａと、制御部９３ｂとを有する。
【００８７】
センサ部９３ａは、画像センサを有する。センサ部９３ａは、背壁４５に設けられた孔を通して、ディスプレイ部１１の後方を撮影する。制御部９３ｂは、例えば、センサ部９３ａから離れて、壁部５５Ｃに沿って延びるＰＣＢである。制御部９３ｂは、例えばケーブルによってセンサ部９３ａに電気的に接続され、センサ部９３ａを制御する。
【００８８】
第２のカメラモジュール９３は、テープ９６によって、バックカバー４１及びフレーム４２に貼り付けられる。テープ９６は、例えば金属によって形成される部分を含む。センサ部９３ａから生じた熱は、テープ９６を介して、バックカバー４１及びフレーム４２に熱伝導する。当該テープ９６により、センサ部９３ａが冷却される。
【００８９】
第１の収容部５６は、壁部５５Ｄとディスプレイモジュール８１及びデジタイザーモジュール８２との間にある。さらに、壁部５５Ｄとディスプレイモジュール８１及びデジタイザーモジュール８２との間に、第１のカメラモジュール９１、第１の制御基板９２、及び第２のカメラモジュール９３が配置される第４の収容空間Ｓ４が形成される。以上の説明を言いかえると、壁部５５Ｄと、ディスプレイモジュール８１及びデジタイザーモジュール８２との間に、第１の収容部５６、第１のカメラモジュール９１、第１の制御基板９２、及び第２のカメラモジュール９３が並べられる。
【００９０】
壁部５５Ｂ，５５Ｃ、第１の収容部５６、及び第２の収容部５７に保持されたディスプレイモジュール８１及びデジタイザーモジュール８２は、壁部５５Ａから離間する。ディスプレイモジュール８１及びデジタイザーモジュール８２と、壁部５５Ａとの間に、第５の収容空間Ｓ５が形成される。
【００９１】
第５の収容空間Ｓ５は、第２の収容部５７の端部から、壁部５５Ｂに亘って、壁部５５Ａに沿って延びる隙間である。第５の収容空間Ｓ５に、第２の制御基板９７が配置される。
【００９２】
第２の制御基板９７は、第２の収容部５７に隣接して配置される。第２の制御基板９７は、ディスプレイモジュール８１の側面８１ｃに固定され、ディスプレイモジュール８１に電気的に接続される。第２の制御基板９７は、例えばＰＣＢであり、ディスプレイモジュール８１を制御する。
【００９３】
第２の収容部５７は、壁部５５Ａとディスプレイモジュール８１及びデジタイザーモジュール８２との間にある。さらに、壁部５５Ａとディスプレイモジュール８１及びデジタイザーモジュール８２との間に、第２の制御基板９７が配置される第５の収容空間Ｓ５が形成される。言い換えると、壁部５５Ａとディスプレイモジュール８１及びデジタイザーモジュール８２との間に、第２の収容部５７と第２の制御基板９７とが並べられる。
【００９４】
図４に示すように、壁部５５の第１の縁部６１の第１の支持面６１ｂに、両面テープ９８が取り付けられる。両面テープ９８は、タッチパネル８３の第２の部分８８を、第１の縁部６１の第１の支持面６１ｂに固定する。なお、タッチパネル８３は、接着剤のような他の部材によって第１の縁部６１に固定されても良い。
【００９５】
タッチパネル８３の第２の部分８８は、両面テープ９８を介して、第１の縁部６１の第１の支持面６１ｂに支持される。さらに、第１の収容部５６の第２の面５６ｂは、第１の縁部６１とともに、タッチパネル８３の第２の部分８８を支持する。言い換えると、第１の収容部５６は、タッチパネル８３の第２の部分８８に覆われる。
【００９６】
壁部５５の第２の縁部６２は、タッチパネル８３を囲む。タッチパネル８３の側面８３ｃは、第２の縁部６２の第２の内周面６２ａに接する。壁部５５の第２の縁部６２は、タッチパネル８３がＸ軸及びＹ軸に沿う方向に移動することを制限し、タッチパネル８３を保持する。なお、タッチパネル８３の側面８３ｃと、第２の縁部６２の第２の内周面６２ａとの間に隙間があっても良い。
【００９７】
Ｚ軸に沿う方向において、バックカバー４１とタッチパネル８３との間に、フレーム４２と、バッテリ７１と、ディスプレイモジュール８１と、デジタイザーモジュール８２とが配置される。言い換えると、バックカバー４１及びタッチパネル８３は、それぞれ、フレーム４２と、バッテリ７１と、ディスプレイモジュール８１と、デジタイザーモジュール８２とを覆う。
【００９８】
図２に示すように、ディスプレイ部１１は、ケーブル１０１Ａ，１０１Ｂ，１０１Ｃをさらに有する。ケーブル１０１Ａは、例えば、デジタイザーモジュール８２、第１の制御基板９２、及び第２の制御基板９７に電気的に接続される。ケーブル１０１Ｂは、例えば、バッテリ７１に電気的に接続される。ケーブル１０１Ｃは、例えば、スイッチ６８、第１のカメラモジュール９１、及び第２のカメラモジュール９３に電気的に接続される。
【００９９】
図６は、ディスプレイ部１１の一部を図２のＦ６−Ｆ６線に沿って示す断面図である。図６に示すように、壁部５５Ａに、三つの切欠き１０４が設けられる。切欠き１０４は、挿通部及び第３の凹部の一例である。三つの切欠き１０４は、壁部５５Ａの長手方向に並べられる。切欠き１０４の端部は、背壁４５に向かって開かれる。
【０１００】
フレーム４２がバックカバー４１に取り付けられることで、切欠き１０４の開かれた端部が、背壁４５によって覆われる。背壁４５によって端部を覆われた切欠き１０４は、第２の挿通孔１０５を形成する。第２の挿通孔１０５は、第２の開口の一例である。
【０１０１】
ケーブル１０１Ａ，１０１Ｂ，１０１Ｃは、それぞれ、対応する第２の挿通孔１０５を通り、第３の収容空間Ｓ３に導入される。ケーブル１０１Ａ，１０１Ｂ，１０１Ｃは、第３の収容空間Ｓ３に部分的に配置されたヒンジ部１３を通り、ベースユニット１６の前記基板に電気的に接続される。
【０１０２】
図１に示すように、第１の筐体２１は、ベゼル１０７をさらに有する。ベゼル１０７は、例えば、合成樹脂によって作られる。ベゼル１０７は、バックカバー４１及びフレーム４２に支持され、背壁４５の反対側に位置する。ベゼル１０７は、第３の収容空間Ｓ３を覆う。第３の収容空間Ｓ３に収容されたアンテナは、ベゼル１０７を通して通信を行う。
【０１０３】
第１の実施の形態に係るポータブルコンピュータ１０において、壁部５５の内側に、ディスプレイモジュール８１及びデジタイザーモジュール８２と、タッチペン７６を収容可能な第１の収容部５６と、が配置される。これにより、フレーム４２の内側に高密度にディスプレイモジュール８１及びデジタイザーモジュール８２と第１の収容部５６とを配置することが可能となり、ポータブルコンピュータ１０が小型化及び薄型化される。
【０１０４】
壁部５５Ｄとディスプレイモジュール８１及びデジタイザーモジュール８２との間に、第１の収容部５６のみならず、第１のカメラモジュール９１、第１の制御基板９２、及び第２のカメラモジュール９３が配置される。これにより、フレーム４２の内側に複数の部品を高密度に配置することが可能となり、ポータブルコンピュータ１０が小型化される。
【０１０５】
壁部５５Ｂ，５５Ｃと第１の収容部５６と第２の収容部５７とが、ディスプレイモジュール８１及びデジタイザーモジュール８２が動くことを制限し、ディスプレイモジュール８１及びデジタイザーモジュール８２を保持する。このため、別個の保持するための部分や部材無しに、ディスプレイモジュール８１及びデジタイザーモジュール８２と第１の収容部５６とがそれぞれフレーム４２の中に配置される。したがって、フレーム４２の内側に高密度に複数の部品を配置することが可能となり、ポータブルコンピュータ１０が小型化される。
【０１０６】
壁部５５と第１の収容部５６とが一体に形成される。これにより、部品点数が低減されることで、ポータブルコンピュータ１０の部品コスト及び金型費が低減される。したがって、ポータブルコンピュータ１０の製造コストが低減される。さらに、第１の収容部５６を小さく形成することが可能となり、第４の収容空間Ｓ４を大きくすることが可能となる。
【０１０７】
壁部５５は、タッチパネル８３を支持する。これにより、タッチパネル８３を支持する別個の部品や部分を用いることなく、タッチパネル８３が支持される。したがって、ポータブルコンピュータ１０の製造コストが低減される。
【０１０８】
第１の収容部５６は、タッチパネル８３を壁部５５とともに支持する。これにより、タッチパネル８３が支持される面積が増大し、タッチパネル８３が安定的に支持されるとともに、応力集中が生じてタッチパネル８３が破損することが抑制される。
【０１０９】
壁部５５及び第１の収容部５６は、タッチパネル８３の第２の部分８８を支持する。これにより、壁部５５及び第１の収容部５６が、タッチパネル８３の画像透過機能を損なうことが抑制される。
【０１１０】
第１の収容部５６は、画像を表示するディスプレイモジュール８１と並べられ、壁部５５に囲まれる。これにより、ディスプレイモジュール８１が収容される第１の筐体２１の厚みが増すことが抑制され、ポータブルコンピュータ１０が薄型化される。
【０１１１】
第１の収容部５６が凹部７４を有し、タッチペン７６は、凹部７４が形成する第２の収容空間Ｓ２に収容される。これにより、第１の収容部５６が簡素化される。さらに、例えば金型を用いた成形において、穴を形成するよりも、凹部を形成する方が容易である。したがって、ポータブルコンピュータ１０が容易に製造される。
【０１１２】
壁部５５Ａは、ケーブル１０１Ａ，１０１Ｂ，１０１Ｃが通される切欠き１０４を有する。言い換えると、壁部５５Ａは、ケーブル１０１Ａ，１０１Ｂ，１０１Ｃを保持する。これにより、ケーブル１０１Ａ，１０１Ｂ，１０１Ｃの配置が容易になる。
【０１１３】
壁部５５Ａの切欠き１０４は、端部が背壁４５に覆われることで第２の挿通孔１０５を形成する。当該第２の挿通孔１０５に、ケーブル１０１Ａ，１０１Ｂ，１０１Ｃが通される。これにより、ケーブル１０１Ａ，１０１Ｂ，１０１Ｃが通される第２の挿通孔１０５が容易に形成される。
【０１１４】
壁部５５Ｂは、バックカバー４１に覆われるとともにボタン５２を収容する溝６７を有する。すなわち、壁部５５によってボタン５２が保持されるため、ボタン５２を保持するための別個の部品又は部材が不要となり、ポータブルコンピュータ１０の製造コストが低減される。
【０１１５】
バッテリ７１がバックカバー４１とデジタイザーモジュール８２との間に配置される。これにより、バッテリ７１を保持する別個の部分や部材が不要となり、フレーム４２の内側に高密度に複数の部品を配置することが可能となり、ポータブルコンピュータ１０が小型化される。さらに、バッテリ７１はデジタイザーモジュール８２に向く第３の支持面７１ａを有するため、デジタイザーモジュール８２が凹凸により損傷することが抑制される。
【０１１６】
タッチパネル８３に接する第２の縁部６２は、第１の縁部６１よりも高弾性である。このため、タッチパネル８３の損傷を抑制する別個の部材を設ける必要がなく、ポータブルコンピュータ１０の部品点数が低減され、ポータブルコンピュータ１０の製造コストが低減される。
【０１１７】
ディスプレイモジュール８１がタッチパネル８３に固定され、当該タッチパネル８３が壁部５５に両面テープ９８によって固定される。これにより、ディスプレイモジュール８１を壁部５５に直接固定するネジのような部品が不要となり、ポータブルコンピュータ１０の部品点数が低減され、ポータブルコンピュータ１０の製造コストが低減される。
【０１１８】
以下に、第２の実施の形態について、図７を参照して説明する。なお、以下の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【０１１９】
図７は、第２の実施の形態に係るディスプレイ部１１の一部を示す断面図である。図７に示すように、バックカバー４１は、周壁４６の挿入口５１の代わりに、挿入口１１１を有する。挿入口１１１は、第１の開口の一例である。
【０１２０】
挿入口１１１は、背壁４５に設けられ、凹部７４に沿って延びる開口である。挿入口１１１は、第１の収容部５６の第３の面５６ｃに開かれた凹部７４を開放する。挿入口１１１は、第３の面５６ｃに開かれた凹部７４よりも広い。タッチペン７６は、挿入口１１１から、凹部７４に入れられる。
【０１２１】
凹部７４は、保持部１１２を有する。保持部１１２は、例えば弾性変形可能な爪である。凹部７４に入れられたタッチペン７６は、保持部１１２に弾性的に引っ掛かり、凹部７４に保持される。
【０１２２】
ディスプレイ部１１は、アンテナ１１５をさらに有する。アンテナ１１５は、例えば、シートと、当該シートに形成された回路とを有する。アンテナ１１５は、第１の収容部５６の第２の面５６ｂに取り付けられる。
【０１２３】
タッチパネル８３の第２の部分８８は、アンテナ１１５を介して、第１の収容部５６の第２の面５６ｂに支持される。言い換えると、アンテナ１１５は、第１の収容部５６とタッチパネル８３の第２の部分８８との間に配置される。
【０１２４】
第２の部分８８に設けられる前記配線パターンは、アンテナ１１５を避けて形成される。すなわち、アンテナ１１５は、タッチパネル８３の導電性の部分に覆われない。アンテナ１１５は、タッチパネル８３を通して、電磁波の入出力を行う。
【０１２５】
第２の実施形態のポータブルコンピュータ１０において、タッチパネル８３と第１の収容部５６との間にアンテナ１１５が配置される。これにより、バックカバー４１が導電性部品であったとしても、アンテナ１１５はタッチパネル８３を通して通信を行うことができる。さらに、フレーム４２の内側に高密度にアンテナ１１５を含む複数の部品を配置することが可能となり、ポータブルコンピュータ１０が小型化される。
【０１２６】
以上説明した少なくとも一つの実施形態によれば、壁部材の複数の第１の壁が第１の部品を囲み、少なくとも一つの第１の壁と第１の部品との間に、隙間と収容部とが設けられる。これにより、電子機器を薄型化できる。
【０１２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１２８】
例えば、上記実施の形態において、ディスプレイモジュール８１及びデジタイザーモジュール８２が第１の部品の一例であり、収容部の一例である第１の収容部５６は、ディスプレイ部１１に設けられる。しかし、第１の部品は、例えば、バッテリ又は基板のような他の部品であっても良く、収容部はベース部１２のような他の場所に設けられても良い。
【０１２９】
さらに、上記実施の形態において、第１の壁の一例である壁部５５は、バックカバー４１の周壁４６によって覆われる。しかし、第１の壁は、外部に露出されても良い。
【０１３０】
さらに、上記実施の形態において、タッチパネル８３が第１の部材の一例である。しかし、第１の部材は、例えば有機ＥＬディスプレイのような他の部品であっても良い。第１の部材が有機ＥＬディスプレイである場合、当該第１の部材の第１の部分は画像を表示する。
【符号の説明】
【０１３１】
１０…ポータブルコンピュータ、２１…第１の筐体、４１…バックカバー、４２…フレーム、４５…背壁、４６…周壁、５１，１１１…挿入口、５２…ボタン、５５，５５Ａ，５５Ｂ，５５Ｃ，５５Ｄ…壁部、５６…第１の収容部、５７…第２の収容部、６１…第１の縁部、６２…第２の縁部、６３…支持部、６７…溝、６８…スイッチ、７１…バッテリ、７４…凹部、７６…タッチペン、８１…ディスプレイモジュール、８２…デジタイザーモジュール、８３…タッチパネル、８７…第１の部分、８８…第２の部分、９１…第１のカメラモジュール、９２…第１の制御基板、９３…第２のカメラモジュール、１０１Ａ，１０１Ｂ，１０１Ｃ…ケーブル、１０４…切欠き、１０５…第２の挿通孔、１１５…アンテナ。
【図１】
2015207061.tif 000003
【図２】
2015207061.tif 000004
【図３】
2015207061.tif 000005
【図４】
2015207061.tif 000006
【図５】
2015207061.tif 000007
【図６】
2015207061.tif 000008
【図７】
2015207061.tif 000009